【手続補正書】
【提出日】平成19年2月22日(2007.2.22)
【手続補正１】
【補正対象書類名】特許請求の範囲
【補正対象項目名】全文
【補正方法】変更
【補正の内容】
【特許請求の範囲】
【請求項１】
油溶性潤滑添加剤パッケージであって、
１２０から３６０の全塩基価を示す少なくとも１種の過塩基金属カルボン酸塩、および
少なくとも１種の清浄剤、
を前記過塩基金属カルボン酸塩と前記清浄剤の重量比が１：１から３：１であるように含んで成る油溶性潤滑添加剤パッケージ。
【請求項２】
請求項１記載の油溶性潤滑添加剤パッケージを含んで成る潤滑油であって、この潤滑油が示す全塩基価が１０未満でありかつ０．３重量％未満の硫黄含有量、０．１１重量％未満の燐含有量および１．２重量％未満の灰分含有量から成る群から選択される少なくとも１種の特性を示す潤滑油。
【請求項３】
請求項２記載の潤滑油により潤滑された機械。
【請求項４】
請求項１記載の油溶性潤滑添加剤パッケージを含んで成る車両。
【請求項５】
エンジンのクランクケースを潤滑する方法であって、
請求項１記載の油溶性潤滑添加剤パッケージを含んで成る潤滑剤で前記クランクケースを少なくともある程度満たす、
段階を含んで成る方法。
【請求項６】
機械の可動部分を潤滑する方法であって、
請求項１記載の油溶性潤滑添加剤パッケージを含んで成る潤滑剤に少なくとも１種の前記可動部分を接触させる、
段階を含んで成る方法。
【請求項７】
油溶性潤滑添加剤パッケージであって、
１２０から３６０の全塩基価を示す過塩基金属カルボン酸塩、および
少なくとも１種の分散剤、
を前記過塩基金属カルボン酸塩と前記分散剤の重量比が１：４から１：１２であるように含んで成る油溶性潤滑添加剤パッケージ。
【請求項８】
請求項７記載の油溶性潤滑添加剤パッケージを含んで成る潤滑油であって、この潤滑油が示す全塩基価が１０未満でありかつ０．３重量％未満の硫黄含有量、０．１１重量％未満の燐含有量および１．２重量％未満の灰分含有量から成る群から選択される少なくとも１種の特性を示す潤滑油。
【請求項９】
請求項７記載の添加剤パッケージを含んで成る潤滑油により潤滑された機械。
【請求項１０】
請求項７記載の油溶性潤滑添加剤パッケージを含んで成る車両。
【請求項１１】
エンジンのクランクケースを潤滑する方法であって、
請求項７記載の油溶性潤滑添加剤パッケージを含んで成る潤滑剤で前記クランクケースを少なくともある程度満たす、
段階を含んで成る方法。
【請求項１２】
機械の可動部分を潤滑する方法であって、
請求項７記載の油溶性潤滑添加剤パッケージを含んで成る潤滑剤に少なくとも１種の前記可動部分を接触させる、
段階を含んで成る方法。
【請求項１３】
油溶性潤滑添加剤パッケージであって、
１２０から３６０の全塩基価を示す過塩基金属カルボン酸塩、および
少なくとも１種の抗酸化剤、
を過塩基金属カルボン酸塩と抗酸化剤の重量比が１０：１から１：３であるように含んで成る油溶性潤滑添加剤パッケージ。
【請求項１４】
請求項１３記載の油溶性潤滑添加剤パッケージを含んで成る潤滑油であって、この潤滑油が示す全塩基価が１０未満でありかつ０．３重量％未満の硫黄含有量、０．１１重量％未満の燐含有量および１．２重量％未満の灰分含有量から成る群から選択される少なくとも１種の特性を示す潤滑油。
【請求項１５】
請求項１３記載の添加剤パッケージを含んで成る潤滑油により潤滑された機械。
【請求項１６】
請求項１３記載の油溶性潤滑添加剤パッケージを含んで成る車両。
【請求項１７】
エンジンのクランクケースを潤滑する方法であって、
請求項１３記載の油溶性潤滑添加剤パッケージを含んで成る潤滑剤で前記クランクケースを少なくともある程度満たす、
段階を含んで成る方法。
【請求項１８】
機械の可動部分を潤滑する方法であって、
請求項１３記載の油溶性潤滑添加剤パッケージを含んで成る潤滑剤に少なくとも１種の前記可動部分を接触させる、
段階を含んで成る方法。
【請求項１９】
油溶性潤滑添加剤パッケージであって、
少なくとも１２０の全塩基価を示す過塩基オレイン酸カルシウム、および
清浄剤、分散剤、抗酸化剤、摩擦調整剤、粘度指数向上剤および流動点降下剤から成る群から選択される少なくとも１種の成分、
を含んで成る油溶性潤滑添加剤パッケージ。
【請求項２０】
請求項１９記載の油溶性潤滑添加剤パッケージを含んで成る潤滑油であって、この潤滑油が示す全塩基価が１０未満でありかつ０．３重量％未満の硫黄含有量、０．１１重量％未満の燐含有量および１．２重量％未満の灰分含有量から成る群から選択される少なくとも１種の特性を示す潤滑油。
【請求項２１】
請求項１９記載の添加剤パッケージを含んで成る潤滑油により潤滑された機械。
【請求項２２】
請求項１９記載の油溶性潤滑添加剤パッケージを含んで成る車両。
【請求項２３】
エンジンのクランクケースを潤滑する方法であって、
請求項１９記載の油溶性潤滑添加剤パッケージを含んで成る潤滑剤で前記クランクケースを少なくともある程度満たす、
段階を含んで成る方法。
【請求項２４】
機械の可動部分を潤滑する方法であって、
請求項１９記載の油溶性潤滑添加剤パッケージを含んで成る潤滑剤に少なくとも１種の前記可動部分を接触させる、
段階を含んで成る方法。
【請求項２５】
低硫黄で低灰分で低燐の油配合を達成する方法であって、
１２０から３６０の全塩基価を示す過塩基金属カルボン酸塩を含んで成る油溶性添加剤パッケージを準備し、そして
前記油溶性潤滑添加剤パッケージを少なくとも１種の基油と混合することで１０未満の全塩基価を示しかつ０．３重量％未満の硫黄含有量、０．１１重量％未満の燐含有量および１．２重量％未満の灰分含有量から成る群から選択される少なくとも１種の特性を示す潤滑油を生じさせる、
ことを含んで成る低硫黄で低灰分で低燐の油配合を達成する方法。
【手続補正２】
【補正対象書類名】明細書
【補正対象項目名】００７９
【補正方法】変更
【補正の内容】
【００７９】
現在のところ最も実用的で好適な態様であると考える態様に関連させて本発明を記述してきたが、本発明をその開示した態様１つまたは２つ以上に限定するものでなく、それとは対照的に、引用することによって本明細書に組み入れられる添付請求の範囲の精神および範囲内に含まれるいろいろな修飾形および相当する編成（ａｒｒａｎｇｅｍｅｎｔｓ）を保護することを意図すると理解されるべきである。
本発明の好適な実施の態様は次のとおりである。
１．  油溶性潤滑添加剤パッケージであって、
約１２０から約３６０の全塩基価を示す少なくとも１種の過塩基金属カルボン酸塩、および
少なくとも１種の清浄剤、
を前記過塩基金属カルボン酸塩と前記清浄剤の重量比が約１：１から約３：１であるように含んで成る油溶性潤滑添加剤パッケージ。
２．  この油溶性潤滑添加剤パッケージが、硫黄含有量が約０．３重量％未満で燐含有量が約０．１１重量％未満の潤滑油をもたらすに充分な硫黄含有量および燐含有量を有する上記１記載の油溶性潤滑添加剤パッケージ。
３．  前記少なくとも１種の過塩基金属カルボン酸塩の少なくとも１種が過塩基金属オレイン酸塩である上記１記載の油溶性潤滑添加剤パッケージ。
４．  前記過塩基金属オレイン酸塩が過塩基オレイン酸カルシウムおよび過塩基オレイン酸マグネシウムから成る群から選択される上記３記載の油溶性潤滑添加剤パッケージ。
５．  前記少なくとも１種の清浄剤の少なくとも１種がスルホン酸カルシウム、スルホン酸マグネシウム、スルホン酸ナトリウム、非硫化フェネート、硫化フェネート、サリチラート、過塩基サリゲニンおよびこれらの組み合わせから成る群から選択される上記１記載の油溶性潤滑添加剤パッケージ。
６．  上記１記載の油溶性潤滑添加剤パッケージを含んで成る潤滑油であって、この潤滑油が示す全塩基価が約１０未満でありかつ約０．３重量％未満の硫黄含有量、約０．１１重量％未満の燐含有量および約１．２重量％未満の灰分含有量から成る群から選択される少なくとも１種の特性を示す潤滑油。
７．  上記６記載の潤滑油により潤滑された機械。
８．  上記７記載の潤滑油により潤滑された機械であって、この機械がガスエンジン、ディーゼルエンジン、タービンエンジン、自動変速機、手動変速機、ハイポイド車軸およびギアボックスから成る群から選択される機械。
９．  上記１記載の油溶性潤滑添加剤パッケージを含んで成る車両。
１０．  エンジンのクランクケースを潤滑する方法であって、
上記１記載の油溶性潤滑添加剤パッケージを含んで成る潤滑剤で前記クランクケースを少なくともある程度満たす、
段階を含んで成る方法。
１１．  機械の可動部分を潤滑する方法であって、
上記１記載の油溶性潤滑添加剤パッケージを含んで成る潤滑剤に少なくとも１種の前記可動部分を接触させる、
段階を含んで成る方法。
１２．  前記機械がガスエンジン、ディーゼルエンジン、タービンエンジン、自動変速機、手動変速機、ハイポイド車軸およびギアボックスから成る群から選択される上記１１の機械の可動部分を潤滑する方法。
１３．  油溶性潤滑添加剤パッケージであって、
約１２０から約３６０の全塩基価を示す過塩基金属カルボン酸塩、および
少なくとも１種の分散剤、
を前記過塩基金属カルボン酸塩と前記分散剤の重量比が約１：４から約１：１２であるように含んで成る油溶性潤滑添加剤パッケージ。
１４．  この油溶性潤滑添加剤パッケージが、硫黄含有量が約０．３重量％未満で燐含有量が約０．１１重量％未満の潤滑油をもたらすに充分な硫黄含有量および燐含有量を有する上記１３記載の油溶性潤滑添加剤パッケージ。
１５．  前記少なくとも１種の過塩基金属カルボン酸塩が過塩基金属オレイン酸塩である上記１３記載の油溶性潤滑添加剤パッケージ。
１６．  前記過塩基金属オレイン酸塩が過塩基オレイン酸カルシウムおよび過塩基オレイン酸マグネシウムから成る群から選択される上記１５記載の油溶性潤滑添加剤パッケージ。
１７．  前記少なくとも１種の分散剤が約１０００から約６０００の分子量を有する上記１３記載の油溶性潤滑添加剤パッケージ。
１８．  前記少なくとも１種の分散剤が無水マレイン酸官能化ポリイソブチレン重合体とポリアミンを反応させたものである上記１３記載の油溶性潤滑添加剤パッケージ。
１９．  前記少なくとも１種の分散剤がマンニッヒ反応の生成物である上記１３記載の油溶性潤滑添加剤パッケージ。
２０．  前記少なくとも１種の分散剤がエチレン−プロピレン型の分散剤である上記１３記載の油溶性潤滑添加剤パッケージ。
２１．  追加的に粘度指数向上剤および流動点降下剤から成る群から選択される少なくとも１種の成分も含んで成る上記１３記載の油溶性潤滑添加剤パッケージ。
２２．  上記１３記載の油溶性潤滑添加剤パッケージを含んで成る潤滑油であって、この潤滑油が示す全塩基価が約１０未満でありかつ約０．３重量％未満の硫黄含有量、約０．１１重量％未満の燐含有量および約１．２重量％未満の灰分含有量から成る群から選択される少なくとも１種の特性を示す潤滑油。
２３．  上記１３記載の添加剤パッケージを含んで成る潤滑油により潤滑された機械。
２４．  前記機械がガスエンジン、ディーゼルエンジン、タービンエンジン、自動変速機、手動変速機、ハイポイド車軸およびギアボックスから成る群から選択される上記２３記載の機械。
２５．  上記１３記載の油溶性潤滑添加剤パッケージを含んで成る車両。
２６．  エンジンのクランクケースを潤滑する方法であって、
上記１３記載の油溶性潤滑添加剤パッケージを含んで成る潤滑剤で前記クランクケースを少なくともある程度満たす、
段階を含んで成る方法。
２７．  機械の可動部分を潤滑する方法であって、
上記１３記載の油溶性潤滑添加剤パッケージを含んで成る潤滑剤に少なくとも１種の前記可動部分を接触させる、
段階を含んで成る方法。
２８．  前記機械がガスエンジン、ディーゼルエンジン、タービンエンジン、自動変速機、手動変速機、ハイポイド車軸およびギアボックスから成る群から選択される上記２７の機械の可動部分を潤滑する方法。
２９．  油溶性潤滑添加剤パッケージであって、
約１２０から約３６０の全塩基価を示す過塩基金属カルボン酸塩、および
少なくとも１種の抗酸化剤、
を過塩基金属カルボン酸塩と抗酸化剤の重量比が約１０：１から約１：３であるように含んで成る油溶性潤滑添加剤パッケージ。
３０．  この油溶性潤滑添加剤パッケージが、硫黄含有量が約０．３重量％未満で燐含有量が約０．１１重量％未満の潤滑油をもたらすに充分な硫黄含有量および燐含有量を有する上記２９記載の油溶性潤滑添加剤パッケージ。
３１．  前記過塩基金属カルボン酸塩が過塩基金属オレイン酸塩である上記２９記載の油溶性潤滑添加剤パッケージ。
３２．  前記過塩基金属オレイン酸塩が過塩基オレイン酸カルシウムおよび過塩基オレイン酸マグネシウムから成る群から選択される上記３１記載の油溶性潤滑添加剤パッケージ。
３３．  前記少なくとも１種の抗酸化剤の少なくとも１種がジチオ燐酸亜鉛、アルキル置換ジフェニルアミン、硫化オレフィン、フェノール、ヒンダードフェノールおよび硫化フェノールから成る群から選択される上記２９記載の油溶性潤滑添加剤パッケージ。
３４．  上記２９記載の油溶性潤滑添加剤パッケージを含んで成る潤滑油であって、この潤滑油が示す全塩基価が約１０未満でありかつ約０．３重量％未満の硫黄含有量、約０．１１重量％未満の燐含有量および約１．２重量％未満の灰分含有量から成る群から選択される少なくとも１種の特性を示す潤滑油。
３５．  上記２９記載の添加剤パッケージを含んで成る潤滑油により潤滑された機械。
３６．  前記機械がガスエンジン、ディーゼルエンジン、タービンエンジン、自動変速機、手動変速機、ハイポイド車軸およびギアボックスから成る群から選択される上記３５記載の機械。
３７．  上記２９記載の油溶性潤滑添加剤パッケージを含んで成る車両。
３８．  エンジンのクランクケースを潤滑する方法であって、
上記２９記載の油溶性潤滑添加剤パッケージを含んで成る潤滑剤で前記クランクケースを少なくともある程度満たす、
段階を含んで成る方法。
３９．  機械の可動部分を潤滑する方法であって、
上記２９記載の油溶性潤滑添加剤パッケージを含んで成る潤滑剤に少なくとも１種の前記可動部分を接触させる、
段階を含んで成る方法。
４０．  前記機械がガスエンジン、ディーゼルエンジン、タービンエンジン、自動変速機、手動変速機、ハイポイド車軸およびギアボックスから成る群から選択される上記３９の機械の可動部分を潤滑する方法。
４１．  油溶性潤滑添加剤パッケージであって、
少なくとも１２０の全塩基価を示す過塩基オレイン酸カルシウム、および
清浄剤、分散剤、抗酸化剤、摩擦調整剤、粘度指数向上剤および流動点降下剤から成る群から選択される少なくとも１種の成分、
を含んで成る油溶性潤滑添加剤パッケージ。
４２．  この油溶性潤滑添加剤パッケージが約６重量％未満の硫黄含有量および約１．２重量％未満の燐含有量から成る群から選択される少なくとも１種の特性を示す上記４１記載の油溶性潤滑添加剤パッケージ。
４３．  この油溶性潤滑添加剤パッケージが非硫化フェネートを本質的に含有しない上記４１記載の油溶性潤滑添加剤パッケージ。
４４．  上記４１記載の油溶性潤滑添加剤パッケージを含んで成る潤滑油であって、この潤滑油が示す全塩基価が約１０未満でありかつ約０．３重量％未満の硫黄含有量、約０．１１重量％未満の燐含有量および約１．２重量％未満の灰分含有量から成る群から選択される少なくとも１種の特性を示す潤滑油。
４５．  上記４１記載の添加剤パッケージを含んで成る潤滑油により潤滑された機械。
４６．  前記機械がガスエンジン、ディーゼルエンジン、タービンエンジン、自動変速機、手動変速機、ハイポイド車軸およびギアボックスから成る群から選択される上記４５記載の機械。
４７．  上記４１記載の油溶性潤滑添加剤パッケージを含んで成る車両。
４８．  エンジンのクランクケースを潤滑する方法であって、
上記４１記載の油溶性潤滑添加剤パッケージを含んで成る潤滑剤で前記クランクケースを少なくともある程度満たす、
段階を含んで成る方法。
４９．  機械の可動部分を潤滑する方法であって、
上記４１記載の油溶性潤滑添加剤パッケージを含んで成る潤滑剤に少なくとも１種の前記可動部分を接触させる、
段階を含んで成る方法。
５０．  前記機械がガスエンジン、ディーゼルエンジン、タービンエンジン、自動変速機、手動変速機、ハイポイド車軸およびギアボックスから成る群から選択される上記４９の機械の可動部分を潤滑する方法。
５１．  低硫黄で低灰分で低燐の油配合を達成する方法であって、
約１２０から約３６０の全塩基価を示す過塩基金属カルボン酸塩を含んで成る油溶性添加剤パッケージを準備し、そして
前記油溶性潤滑添加剤パッケージを少なくとも１種の基油と混合することで約１０未満の全塩基価を示しかつ約０．３重量％未満の硫黄含有量、約０．１１重量％未満の燐含有量および約１．２重量％未満の灰分含有量から成る群から選択される少なくとも１種の特性を示す潤滑油を生じさせる、
ことを含んで成る低硫黄で低灰分で低燐の油配合を達成する方法。
５２．  前記過塩基金属カルボン酸塩が過塩基オレイン酸カルシウムおよび過塩基オレイン酸マグネシウムから成る群から選択される上記５１記載の低硫黄で低灰分で低燐の油配合を達成する方法。
５３．  前記油溶性潤滑添加剤パッケージが追加的に清浄剤、分散剤、抗酸化剤、摩擦調整剤、粘度指数向上剤および流動点降下剤から成る群から選択される少なくとも１種の添加剤も含んで成る上記５１記載の低硫黄で低灰分で低燐の油配合を達成する方法。